(57)【要約】【課題】用紙情報を検出する際の誤検出を低減させると共に、用紙収納手段が切替えられた場合でも１枚目の用紙から用紙の重送を判断できるものとし、重送を確実に判定する。【解決手段】用紙搬送装置の用紙情報検出手段２００を２つ設けると共に、重送判定手段３１０は、重送判定を給紙トレイ２１の１枚目については、入力された用紙情報に基づいて行い、１枚目が重送でないときには、以降の重送判定を用紙情報検出手段２００から得られた１枚目の用紙情報に基づいて行う。【選択図】図４
2008201512.tif 000002
【特許請求の範囲】
【請求項１】
用紙を収納する複数の用紙収納手段と、夫々の用紙収納手段から用紙を１枚ずつ給紙する給紙手段と、用紙が搬送される搬送経路とを備える用紙搬送装置において
前記用紙収納手段に対応する各用紙の用紙情報を設定する用紙情報設定手段と、
前記用紙格納手段に対応する各用紙の用紙情報を記憶する用紙情報記憶手段と、
搬送される用紙の用紙情報を前記搬送経路において検出する用紙情報検出手段と、
前記用紙情報記憶手段からの用紙情報と、前記用紙情報検出手段からの用紙情報とを比較して用紙の重送を検出する重送判定手段と、
前記用紙情報記憶手段の用紙情報を書き換える記憶制御手段と、を備え、
前記記憶制御手段は、
前記用紙格納手段からの１枚目の用紙が搬送されるとき、前記用紙情報設定手段からの用紙情報を前記用紙情報記憶手段に格納し、
前記重送判定手段が、前記１枚目の用紙が重送ではない判断したとき、前記用紙情報検出手段からの用紙情報を前記用紙情報記憶手段に書き込むことを特徴とする用紙搬送装置。
【請求項２】
前記用紙情報検出手段は、搬送される用紙を挟んで配置される発光部と、受光部とを備えると共に、
少なくとも２つの情報検出手段が用紙の搬送方向に垂直に搬送中心を挟んで所定距離だけ離して配置されていることを特徴とする請求項１記載の用紙搬送装置。
【請求項３】
前記用紙情報は光の透過率であることを特徴とする請求項１又は２記載の用紙搬送装置。
【請求項４】
前記用紙情報検出手段の発光部は発光量を可変とする光量設定手段を備えることを特徴とする請求項１乃至３のいずれか記載の用紙搬送装置。
【請求項５】
前記用紙情報検出手段は、少なくとも２つの発光部が同等の発光量で発光するものであり、これらの発光部からの光を受け、受光部が出力する出力値の平均値から用紙情報が得られることを特徴とする請求項１乃至４のいずれか記載の用紙搬送装置。
【請求項６】
前記発光部の発光量、及び、前記用紙情報設定手段が設定する用紙情報は用紙の種類に対応して定められていることを特徴とする請求項１乃至５のいずれか記載の用紙搬送装置。
【請求項７】
前記発光部の発光量、及び、前記用紙情報設定手段が設定する用紙情報は外部から入力される用紙種類情報に対応して設定されることを特徴とする請求項１乃至５のいずれか記載の用紙搬送装置。
【請求項８】
前記用紙情報設定手段によって設定され用紙情報記憶手段に記憶される用紙情報が、用紙情報検出手段により検出された搬送される当初の用紙の用紙情報と著しく異なる場合、記録動作を開始せずに設定された用紙情報が間違っていないか外部に注意を促す警告を発する警告手段を備えることを特徴とする請求項１乃至７のいずれか記載の用紙搬送装置。
【請求項９】
前記用紙情報設定手段によって設定され用紙情報記憶手段に記憶される用紙情報が、用紙情報検出手段により検出された搬送される当初の用紙情報と著しく異なる場合、予め定められた発光量で前記発光手段を発光させ再度用紙情報の検出を行うことを特徴とする請求項２乃至７のいずれか記載の用紙搬送装置。
【請求項１０】
前記用紙情報検出手段は、所定時間に用紙を検出しないとき、ジャム信号を出力するジャム検出手段を兼ねることを特徴とする請求項１乃至９のいずれか記載の用紙搬送装置。
【請求項１１】
請求項１乃至１０のいずれか記載の用紙搬送装置と、画像を形成する画像形成手段とを備えることを特徴とする画像形成装置。
【請求項１２】
前記画像形成装置は電子写真複写機であることを特徴とする請求項１１記載の画像形成装置。
【請求項１３】
前記画像形成装置はレーザビームプリンタであることを特徴とする請求項１１記載の画像形成装置。
【請求項１４】
前記画像形成装置はファクシミリ装置であることを特徴とする請求項１１記載の画像形成装置。
【発明の詳細な説明】
【技術分野】
【０００１】
本発明は、用紙搬送装置及び画像形成装置に係り、特に用紙を収納する複数の用紙収納手段と、夫々の用紙収納手段から用紙を１枚ずつ給紙する給紙手段と、用紙を搬送する搬送経路とを備える用紙搬送装置及びこれを使用した画像形成装置に関する。
【背景技術】
【０００２】
近年、複写機、プリンタ等の画像形成装置は、高速化が進むことにより、印刷業界に進出し始めている状況にある。オフィスでのビジネス文書印刷においてもジャム等によるダウンタイム低減は重要な課題となっているが、大量印刷時に重送による未印刷用紙の混入はチェック作業を含め多大な損害となる。
【０００３】
そのため、画像形成装置で重送を防止して高速な文書印刷印を実現するため、次のような技術が提案されている。
【０００４】
特許文献１には、定着温度の可変設定等に利用される少なくとも紙厚を含む紙種の自動検出機能を持たせる上で、その検出結果を有効かつ確実に利用でき、画像形成プロセス上、時間やエネルギーの無駄をなくすため、給紙命令に先立つタイミングで、用紙収納部から分離給紙手段により１枚の用紙の先端部を所定量だけ給紙させて紙種検出手段により当該用紙の紙種を検出させ、給紙命令を受ける前に、紙種情報を取得するようにし、給紙命令を受ける前に画像形成手段の画像形成プロセスについて紙種情報を有効かつ確実に利用した適正な設定が可能となり、画像形成プロセス上、時間やエネルギーの無駄をなくすことができるものが記載されている。
【０００５】
特許文献２には、帯状の縦筋、印刷がある原稿があり、重送検出範囲に相対する位置にその帯状の縦筋や印刷があっても、それを避けて重送検出が行える設定が任意に行え、誤検出のない重送検出を行うため、前側板、後側板の間に、発光センサが搭載された移動体と受光センサが搭載された移動体を、それぞれ軸に原稿の主走査方向で移動可能に保持されている。移動体は、複数配置されたプーリ間に掛け回されたワイヤにそれぞれ固定され、両移動体は連動して同方向に移動可能とするものが記載されている。
【特許文献１】特開２００４−２７７０５７号公報
【特許文献２】特開２００３−１４６４８１号公報
【発明の開示】
【発明が解決しようとする課題】
【０００６】
ところで、画像形成装置において、大量の印刷を行うときには、用紙補給作業の効率化を図るため複数の給紙トレイから用紙が給紙されるのが一般的である。しかしながら、従来、先行する用紙の用紙情報と今回の用紙の用紙情報と比較して重送を検出するようにすることが一般的であり、１枚目の用紙について重送を検出するような制御を実施していなかった。このため、給紙を他の給紙トレイに切替えたときには、当該給紙トレイからの１枚目の用紙に対して重送の検出をすることができないという問題がある。
【０００７】
また、サイズの異なる用紙（例えば、Ａ３とＡ４）を夫々給紙トレイに収納してサイズ混載の印刷を実施する場合や、紙種を異なる用紙（例えば、普通紙とコート紙）を夫々給紙トレイにセットして印刷する場合も重送を検出することはできなかった。
【０００８】
また、従来、用紙情報を検出する検出手段が用紙の搬送経路の搬送中心に１つだけ配設されることが一般的であるため、用紙の製紙過程でまれに発生する繊維のムラや異物の混入等により用紙の透過率が他の個所に比べ著しく変化してしまっている個所と用紙情報検出個所とが一致してしまった場合には、用紙が１枚であるにもかかわらず重送であると検出してしまうことがあった。
【０００９】
本発明は、前述の問題に鑑みてなされたものであり、用紙情報を検出する際の誤検出を低減させると共に、用紙収納手段が切替えられた場合でも１枚目の用紙から用紙の重送を判断できるものとし、重送を確実に判定することができる用紙搬送装置及びこれを使用した画像形成装置を提供することを目的とする。
【課題を解決するための手段】
【００１０】
請求項１の発明は、用紙を収納する複数の用紙収納手段と、夫々の用紙収納手段から用紙を１枚ずつ給紙する給紙手段と、用紙が搬送される搬送経路とを備える用紙搬送装置において、前記用紙収納手段に対応する各用紙の用紙情報を設定する用紙情報設定手段と、前記用紙格納手段に対応する各用紙の用紙情報を記憶する用紙情報記憶手段と、搬送される用紙の用紙情報を前記搬送経路において検出する用紙情報検出手段と、前記用紙情報記憶手段からの用紙情報と、前記用紙情報検出手段からの用紙情報とを比較して用紙の重送を検出する重送判定手段と、前記用紙情報記憶手段の用紙情報を書き換える記憶制御手段と、を備え、前記記憶制御手段は、前記用紙格納手段からの１枚目の用紙が搬送されるとき、前記用紙情報設定手段からの用紙情報を前記用紙情報記憶手段に格納し、前記重送判定手段が、前記１枚目の用紙が重送ではない判断したとき、前記用紙情報検出手段からの用紙情報を前記用紙情報記憶手段に書き込むことを特徴とする用紙搬送装置である。
【００１１】
請求項２の発明は、請求項１記載の用紙搬送装置において、前記用紙情報検出手段は、搬送される用紙を挟んで配置される発光部と、受光部とを備えると共に、少なくとも２つの情報検出手段が用紙の搬送方向に垂直に搬送中心を挟んで所定距離だけ離して配置されていることを特徴とする。
【００１２】
請求項３の発明は、請求項１又は２記載の用紙搬送装置において、前記用紙情報は光の透過率であることを特徴とする。
【００１３】
請求項４の発明は、請求項１乃至３のいずれか記載の用紙搬送装置において、前記用紙情報検出手段の発光部は発光量を可変とする光量設定手段を備えることを特徴とする。
【００１４】
請求項５の発明は、請求項１乃至４のいずれか記載の用紙搬送装置において、前記用紙情報検出手段は、少なくとも２つの発光部が同等の発光量で発光するものであり、これらの発光部からの光を受け、受光部が出力する出力値の平均値から用紙情報が得られることを特徴とする。
【００１５】
請求項６の発明は、請求項１乃至５のいずれか記載の用紙搬送装置において、前記発光部の発光量、及び、前記用紙情報設定手段が設定する用紙情報は用紙の種類に対応して定められていることを特徴とする。
【００１６】
請求項７の発明は、請求項１乃至５のいずれか記載の用紙搬送装置において、前記発光部の発光量、及び、前記用紙情報設定手段が設定する用紙情報は外部から入力される用紙種類情報に対応して設定されることを特徴とする。
【００１７】
請求項８の発明は、請求項２乃至７のいずれか記載の用紙搬送装置において、前記用紙情報設定手段によって設定され用紙情報記憶手段に記憶される用紙情報が、用紙情報検出手段により検出された搬送される当初の用紙の用紙情報と著しく異なる場合、記録動作を開始せずに設定された用紙情報が間違っていないか外部に注意を促す警告を発する警告手段を備えることを特徴とする。
【００１８】
請求項９の発明は、請求項１乃至７のいずれか記載の用紙搬送装置において、前記用紙情報設定手段によって設定され用紙情報記憶手段に記憶される用紙情報が、用紙情報検出手段により検出された搬送される当初の用紙情報と著しく異なる場合、予め定められた発光量で前記発光手段を発光させ再度用紙情報の検出を行うことを特徴とする。
【００１９】
請求項１０の発明は、請求項１乃至９のいずれか記載の用紙搬送装置において、前記用紙情報検出手段は、所定時間に用紙を検出しないとき、ジャム信号を出力するジャム検出手段を兼ねることを特徴とする。
【００２０】
請求項１１の発明は、請求項１乃至１０のいずれか記載の用紙搬送装置と、画像を形成する画像形成手段とを備えることを特徴とする画像形成装置である。
【００２１】
請求項１２の発明は、請求項１１記載の画像形成装置において、前記画像形成装置は電子写真複写機であることを特徴とする。
【００２２】
請求項１３の発明は、請求項１１記載の画像形成装置において、前記画像形成装置はレーザビームプリンタであることを特徴とする。
【発明の効果】
【００２３】
本発明に係る用紙搬送装置及び画像形成装置によれば、用紙情報検出手段を複数設けたから用紙情報を検出する際の誤検出を低減させることができると共に、用紙情報設定手段で使用する用紙の用紙情報を用紙情報記憶手段に記憶させてこの用紙情報を重送検出に使用するから、用紙収納手段が切替えられた場合でも１枚目の用紙から用紙の重送を検出することができ、重送の見過ごしによる印刷効率の低下を防止することができるという効果がある。
【発明を実施するための最良の形態】
【００２４】
以下本発明を実施するための最良の形態としての実施例を図面に基づいて説明する。
【実施例】
【００２５】
以下、本発明の実施例に係る画像形成装置を図面に基づいて説明する。図１はこの発明の実施例に係る画像形成装置の概略図である。画像形成装置には、画像を形成する画像形成部１と、画像形成部１の下方に配置され用紙を供給する給紙部２と、画像形成部１の上方に配置され原稿に照明光を照射して画像を読み取る読取部３と、読取部３の上方に配置され原稿を自動供給する自動原稿搬送装置１００とを備える。
【００２６】
画像形成部１は、画像形成装置の略中央に配置されている。画像形成部１には、作像部６が備えられている。作像部６には、ドラム状の感光体６１が配置され、感光体６１の周囲には、感光体６１の表面の帯電処理を行う帯電部６２、感光体６１表面にレーザ光を照射する露光部７、感光体６１の表面に形成された静電潜像を可視化する現像部６３、及び感光体６１表面に残留するトナーを除去回収するクリーニング部６４が配置されている。
【００２７】
また、画像形成部１には、感光体６１の作像したトナー像を用紙に転写する転写部５１、トナー像を得た用紙上のトナーを一対のローラ間を通過して熱と圧力を加えることによってトナー像を定着処理する定着部５２がそれぞれ配置されている。定着部５２を通過した用紙は排紙ローラ５３により排紙収納部４に排紙される。
【００２８】
給紙部２には、複数、本例では４つの用紙収納手段である給紙トレイ２１ａ，２１ｂ，２１ｃ，２１ｄが設けられており、各給紙トレイ２１ａ，２１ｂ，２１ｃ，２１ｄには同一の大きさの用紙が格納されている。
【００２９】
給紙トレイ２１ａ，２１ｂ，２１ｃ，２１ｄには、回動可能に支持された底板２４ａ，２４ｂ，２４ｃ，２４ｄが上昇して、最上位置に配置された用紙をピックアップローラ２５ａ，２５ｂ，２５ｃ，２５ｄが当接可能な位置まで押し上げる。そして、指定された給紙ローラ２６の回転により、指定された給紙トレイの最上紙は給紙トレイ２１から送り出され、レジストローラ２３へと搬送される。レジストローラ２３は用紙の搬送を一時止め、感光体６１表面のトナー像と用紙の先端との位置関係が所定の位置になるよう、タイミングをとって回転が開始するよう制御される。
【００３０】
また、画像形成部１の上方には、原稿を読取る読取部３が配設されている、また、画像形成部１の側方には排紙収納部４が形成され、画像形成された用紙がスタックされる。
【００３１】
読取部３では、コンタクトガラス３１上に載置される原稿の読み取走査を行うために、原稿照明用光源とミラーよりなる読取走行体３２、３３が往復移動する。この読取走行体３２、３３により走査された画像情報は、レンズ３４の後方に設置されているＣＣＤ撮像素子３５に画像信号として読み込まれる。この読み込まれた画像信号は、画像処理部（図示せず）によってデジタル化され画像処理される。
【００３２】
画像形成部１では、画像処理部によって処理された画像信号に基づいて、露光部７内のレーザダイオードＬＤ（図示せず）の発光により感光体６１の表面に静電潜像が形成される。ＬＤからの光信号は、公知のポリゴンミラーやレンズを介して感光体６１に至る。読取部３の上方には、原稿を自動的に搬送する自動原稿搬送装置１００が取り付けられるようになっている。
【００３３】
両面印刷時は、分岐爪９１にて分岐され、反転両面部９で用紙が反転されてレジストローラ２３まで搬送し、レジストローラ２３で用紙のスキューが補正され、裏面画像形成動作に至る。
【００３４】
本実施例の画像形成装置は、上述したように原稿を読み取りデジタル化して用紙に複写するいわゆるデジタルコピー機としての機能の他に、図示せぬ制御部により原稿の画像情報を遠隔地と授受するファクシミリの機能や、コンピュータが扱う画像情報を用紙上に印刷するいわゆるプリンタの機能を有する多機能の画像形成装置である。上記コピー機としての設定は、オペレータが任意に設定可能な図示しない操作部で行う。また、どの機能によって形成された画像も全て排紙収納部４に排出される。
【００３５】
分岐爪９１にて分岐され反転両面部９を経由して、用紙を反転させ反転排紙ローラ５４を経由して排紙ローラ５３から排出された場合、排紙収納部４にスタックされた用紙は画像面が下面になった状態であり、コピー、ファクシミリ、プリンタで扱う原稿の処理順が１ページから行われて印刷されても、排紙収納部４から取り出したときに１ページ目が最上になっており、改めてページを揃えるなどの作業から開放される。
【００３６】
次に実施の形態例に係る画像形成装置の用紙搬送装置について説明する。図２は実施の形態例に係る用紙搬送装置の構造を示す模式図、図３は用紙搬送装置の模式図であり、（ａ）は平面図、（ｂ）は正面図である。
【００３７】
本例では、用紙搬送装置には用紙情報検出手段２００が配置されている。用紙情報検出手段２００は、図２に示すように、給紙部２の上流、かつレジストローラ２３の下流に配置される。図中符号２７は搬送ローラを示している。用紙情報検出手段２００は、発光部である発光素子２１０と、受光部である受光素子２２０とを備える。発光素子２１０と受光素子２２０とは搬送される用紙２０を挟むように配置されている。
【００３８】
本例は、用紙情報検出手段２００は搬送される用紙２０の挙動が安定している搬送ローラ２７の近辺に配設している。また、重送の検出は、画像形成の開始以前になされることが望ましく、本実施例では搬送経路上流に配設するものとしている。
【００３９】
また、本例では、用紙情報検出手段２００は、２つ設けられ、２つの用紙情報検出手段２００ａ，２００ｂは、用紙２０の搬送中心Ｏを挟んで搬送方向に垂直な直線上に一定距離Ｌだけ離して配置されている。搬送中心からの距離Ｌは、使用可能な最小サイズ紙を検出できる距離である。
【００４０】
そして、本例では、２つの発光素子の発光量を同等となるようにし、受光部の出力の平均値から用紙情報を検出することで誤検出の発生確率を低減させることができる。なお、この例では搬送方向に対して垂直方向の同一直線上に配設しているが、同一直線上に配置しないことにより、用紙の漉目をずらした位置に配置すると誤検出を低減させることができる。
【００４１】
次に本例に係る用紙搬送装置の制御について説明する。図４は用紙搬送装置の制御部を示すブロック図である。
【００４２】
用紙搬送装置の制御部３００は、図４に示すように、前記用紙情報検出手段２００からの用紙情報を受け、用紙２０の重送を検出する重送判定手段３１０と、ユーザが前記各給紙トレイ２１ａ，２１ｂ，２１ｃ，２１ｄに対応する各用紙の用紙情報を設定する用紙情報設定手段３２０と、用紙情報設定手段３２０の設定に基づいて各給紙トレイ２１ａ，２１ｂ，２１ｃ，２１ｄに対応する各用紙の用紙情報を記憶する用紙情報記憶手段３３０と用紙情報記憶手段３３０が記憶する用紙情報の書き換え制御を行う記憶制御手段３４０と、重送検出時等に警告を発生する警告手段３５０と、前記用紙情報検出手段２００の発光素子２１０の発光量を設定する光量設定手段３６０と、を備えてなる。
【００４３】
重送判定手段３１０は、用紙情報記憶手段３３０に格納された用紙情報と、用紙情報検出手段２００で検出した用紙情報とに基づいて用紙の重送を判定する。即ち、重送判定手段３１０は、受光素子２２０の受光量から求めた透過率と、用紙情報記憶手段３３０が格納した透過率とを比較して、用紙情報検出手段２００を通過した用紙が一枚であったか二枚であり重送であったかを判定する。
【００４４】
用紙情報設定手段３２０は、ユーザの操作で、例えば用紙の種類を指定することにより用紙の透過率についての情報を用紙情報の初期値として設定する。指定される用紙情報は、本例では用紙が一枚であるときと２枚であるときの透過率である。また、用紙情報設定手段３２０には、各用紙の種類別に発光素子２１０の発光量が設定される。
【００４５】
用紙情報設の例を表１に示す。この例では、用紙の種類を普通紙（４５Ｋ）、第二原図、ＯＨＰ用紙の三種類とし、発光量を透過率として指定している。
【００４６】
【表１】
2008201512.tif 000003
【００４７】
表１に示した例では、用紙種類を普通紙、第二原図、ＯＨＰ用紙の３分類としているが、普通紙としてまとめている領域を紙厚によって細分化することができ、より高精度な重送判断を可能とすることができる。
【００４８】
また、表１に示した例では、発光量は、第二原図に対する発光量を１として相対的な値を示してある。また、２枚用紙が重なった重送状態では、用紙種類では透過率は約半分となることが実験等からわかっており、重送判断の閾値とすることができる。なお、ＯＨＰ用紙は透過率が著しく高いため、重送判断の閾値も別途設定する必要がある。
【００４９】
用紙情報記憶手段３３０は、記憶制御手段３４０の制御に基づき発光素子２１０の発光量を記憶する。光量設定手段３６０は、この用紙情報記憶手段３３０が記憶した発光量に基づいて発光素子２１０を発光させる。また、重送判定手段３１０は、用紙情報記憶手段３３０の記憶した用紙情報である透過率と用紙情報検出手段２００の検出値に基づいて重送の判定を行う。
【００５０】
光量設定手段３６０は、前記発光素子２１０の発光量を所定の範囲内で調整する。表１に示したように、透過率の値が用紙により著しく異なるため、用紙種類を大きく３分類としている。このため、光量設定手段３６０は、発光素子２１０の発光量を調整することができ、同一分類内の検出精度を高めることができる。また、透過率の高い用紙に対して発光素子２１０の発光量が多いと用紙情報設定手段３２０出力がオーバーフローする等の不具合が発生することがあるため、発光量を調整する光量設定手段３６０が必要となる場合がある。また、受光素子２２０の出力値を所定の範囲に収まるよう、発光素子２１０を調整することによってユーザが使用する全ての用紙種類に対応することが可能となる。
【００５１】
記憶制御手段３４０は、用紙情報記憶手段３３０の記憶内容を制御する。即ち、記憶制御手段３４０は、各給紙トレイ２１ａ，２１ｂ，２１ｃ，２１ｄの指定がされ、１枚目の用紙が通過するに際して、前記用紙情報設定手段３２０により指定された用紙の用紙情報である透過率を用紙情報記憶手段３３０に書き込む。
【００５２】
この値に基づいて、用紙情報設定手段３２０は、各給紙トレイ２１ａ，２１ｂ，２１ｃ，２１ｄからの１枚目の用紙については、ユーザが用紙情報設定手段３２０で設定した用紙情報と、用紙情報検出手段２００で検出した用紙情報とを比較し、用紙の重送を判断する。
【００５３】
そして、記憶制御手段３４０は、重送判定手段３１０で１枚目の重送判定がなされた後、１枚目が重送でないとき、即ち正常に用紙が搬送されたときには、用紙情報検出手段２００の検出値に基づいて求められた透過率を用紙情報として用紙情報記憶手段３３０に新たに記憶させる。
【００５４】
重送判定手段３１０の作用
前記重送判定手段３１０は、上述した重送の判定を行う他、用紙情報設定手段３２０からユーザが指定した用紙情報と、用紙情報検出手段２００で検出された１枚目の用紙情報とが著しく異なる場合、記録動作を開始せずに警告手段３５０により、ユーザに注意を促すメッセージ等を表示する。これにより、ユーザの誤操作による重送誤検出を未然に防止することができる。
【００５５】
前記用紙情報設定手段３２０、及び警告手段３５０として以下に示す液晶表示式のタッチパネルを使用することができる。図５は用紙情報設定手段として使用される操作パネルの外観を示す模式図、図６は警告手段として私用される操作パネルの外観を示す模式図である。
【００５６】
操作パネル４１０には、液晶タッチパネル部４２０、テンキー部４３０、スタートボタン４４０が配置されている。本例では、液晶タッチパネル部４２０の表示を変更することにより、用紙情報設定手段３２０と、警告手段３５０との役割を実行させる。
【００５７】
操作パネル４１０を用紙情報設定手段３２０として使用するときには、図５に示すように、液晶タッチパネル部４２０に用紙種類選択画面を表示する。また、操作パネル４１０を警告手段３５０として使用するときには、図６に示すように、液晶タッチパネル部４２０に警告画面を表示する。なお、警告手段は、この操作パネル４１０での表示を行うことに代え専用の表示部を設けたり、は音声による警告を行う手段を設けたりすることができる。
【００５８】
なお、重送判定手段３１０は、重送検出を行う他、用紙情報設定手段３２０により設定され用紙情報記憶手段３３０に初期値として記憶されている用紙情報が、用紙情報検出手段により検出された搬送される１枚目の用紙情報と著しく異なる場合に、用紙種類毎に用意されている他の発光量で再度用紙情報検出を実施することによってユーザの手を煩わせずに印刷動作を継続するという制御を行うようにすることができる。
【００５９】
更に、重送判定手段３１０は、用紙情報検出手段２００が所定時間以内に用紙を検出しない場合は、ジャム信号を出力するものすることができる。このようにすると、用紙情報検出手段２００の用紙情報の検出を重送判断及びジャム検出の両方に使うことができる。
【００６０】
次に実施例に係る用紙搬送装置の動作について説明する。図７は実施例に係る用紙搬送装置の作動を示すフローチャートである。印刷を行うときには、オペレータは、まず使用する給紙トレイ２１を指定し（ＳＴ１）、用紙情報を入力する（ＳＴ２）。この用紙情報の入力は、操作パネル４１０から用紙の種類を指定して行う。
【００６１】
すると、記憶制御手段３４０は、用紙情報記憶手段３３０に初期情報として、入寮区された用紙情報と発光量を設定する（ＳＴ３）。これにより、重送判定手段３１０は、設定された給紙トレイ２１からの１枚目の用紙を、用紙情報記憶手段３３０に格納された用紙情報と、用紙情報検出手段２００で得られた用紙情報とを比較することになる。また、光量設定手段３６０は、発光素子２１０を設定された光量で発光するようになる。
【００６２】
スタートボタン４４０が押下されると、指定された給紙トレイ２１から１枚目の用紙が搬送され（ＳＴ４）、用紙情報検出手段２００で用紙情報として透過率が得られると、重送判定手段３１０は、用紙情報記憶手段３３０に格納された用紙情報と、用紙情報検出手段２００で得られた用紙情報とを比較し、搬送された用紙が１枚であるか、重送された２枚の用紙であるかを判定する（ＳＴ６）。
【００６３】
用紙が正常に搬送されたときには、記憶制御手段３４０は、用紙情報記憶手段３３０に記憶されていた、用紙情報設定手段３２０からの用紙情報に代え、用紙情報検出手段２００からの用紙情報を記憶させ（ＳＴ７）、重送判定手段３１０は以後この新たに記憶された用紙情報に基づいて重送判定を行う（ＳＴ８）。
【００６４】
一方重送判定手段３１０は、重送の判定を行った際、用紙情報記憶手段３３０に格納された用紙情報と、用紙情報検出手段２００で得られた用紙情報との差が予め定めた所定値より小さい場合には重送であるものとして、警報を発したり、用紙搬送装置を停止したりする等の指定された重送処理を行う。オペレータは、この処理を受け搬送装置の点検など所定の動作を行う。また、前記差が前記所定値より大きい場合には、異常警告を発し操作パネル４１０の液晶タッチパネル部４２０に図７に示す警告を発する。オペレータは、この警告を受け、再度設定を確認する。
【００６５】
なお、上記画像形成装置としては電子写真複写機、レーザビームプリンタ、ファクシミリ装置などがあり、それらの重送検出を高精度にすることが可能となる。
【図面の簡単な説明】
【００６６】
【図１】実施例に係る画像形成装置の概略構成図である。
【図２】用紙搬送装置の構造を示す模式図である。
【図３】用紙搬送装置の模式図であり、（ａ）は平面図、（ｂ）は正面図である。
【図４】用紙搬送装置の制御部を示すブロック図
【図５】用紙情報設定手段として使用される操作パネルの外観を示す模式図である。
【図６】警告手段として私用される操作パネルの外観を示す模式図である。
【図７】実施例に係る用紙搬送装置の作動を示すフローチャートである。
【符号の説明】
【００６７】
１  画像形成部
２  給紙部
３  読取部
４  排紙収納部
６  作像部
７  露光部
９  反転両面部
２０  用紙
２１  給紙トレイ
２１ａ，２１ｂ，２１ｃ，２１ｄ  給紙トレイ
２３  レジストローラ
２４ａ，２４ｂ，２４ｃ，２４ｄ  底板
２５ａ，２５ｂ，２５ｃ，２５ｄ  ピックアップローラ
２６  給紙ローラ
２７  搬送ローラ
３１  コンタクトガラス
３２、３３  読取走行体
３４  レンズ
３５  ＣＣＤ撮像素子
５１  転写部
５２  定着部
５３  排紙ローラ
５４  反転排紙ローラ
６１  感光体
６２  帯電部
６３  現像部
６４  クリーニング部
９１  分岐爪
１００  自動原稿搬送装置
２００  用紙情報検出手段
２００ａ，２００ｂ  用紙情報検出手段
２１０  発光素子
２２０  受光素子
３００  制御部
３１０  重送判定手段
３２０  用紙情報設定手段
３３０  用紙情報記憶手段
３４０  記憶制御手段
３５０  警告手段
３６０  光量設定手段
４１０  操作パネル
４２０  液晶タッチパネル部
４３０  テンキー部
４４０  スタートボタン
【図１】
2008201512.tif 000004
【図２】
2008201512.tif 000005
【図３】
2008201512.tif 000006
【図４】
2008201512.tif 000007
【図５】
2008201512.tif 000008
【図６】
2008201512.tif 000009
【図７】
2008201512.tif 000010